(57)【特許請求の範囲】
【請求項１】
可燃性流体と不燃性流体とが貯留された容器と、
前記容器に設けられ、前記容器の周囲が前記可燃性流体の引火点よりも低い所定温度以上に上昇した場合に、前記容器内で前記可燃性流体と前記不燃性流体とを混合させる混合手段と
を備えることを特徴とする燃料貯留部。
【請求項２】
前記混合手段は、前記容器の内部を可燃性流体の貯留部と不燃性流体の貯留部とに二分する可動隔壁と、
外部温度が可燃性流体の引火点よりも低い所定温度以上に上昇した場合に前記可動隔壁を前記不燃性流体が貯留された側へ付勢する付勢材とを備え、
前記可動隔壁には貫通孔が設けられ、
前記貫通孔には、可燃性流体の前記貫通孔への流入を防止する弁が設けられていることを特徴とする請求項１に記載の燃料貯留部。
【請求項３】
前記付勢材は変態点が可燃性流体の引火点よりも低い形状記憶合金からなることを特徴とする請求項２に記載の燃料貯留部。
【請求項４】
前記付勢材はバイメタルからなることを特徴とする請求項２に記載の燃料貯留部。
【請求項５】
前記付勢材は外部温度が可燃性流体の引火点よりも低い所定温度以上に上昇したときに前記可動隔壁を付勢する電磁アクチュエータであることを特徴とする請求項２に記載の燃料貯留部。
【請求項６】
外部温度を検出する温度センサをさらに備え、前記電磁アクチュエータは前記所定温度以上において駆動されることを特徴とする請求項５に記載の燃料貯留部。
【請求項７】
変態点が可燃性流体の引火点よりも低い形状記憶合金からなる接点端子を有し、変態点以上の温度において前記電磁アクチュエータに通電するスイッチを備えることを特徴とする請求項５に記載の燃料貯留部。
【請求項８】
バイメタルからなる接点端子を有し、前記所定温度以上の温度において前記電磁アクチュエータに通電するスイッチを備えることを特徴とする請求項５に記載の燃料貯留部。
【請求項９】
前記混合手段は、
前記容器の内部を可燃性流体の貯留部と不燃性流体の貯留部とに二分する可動隔壁と、
係止部と、
一端は前記可動隔壁と、他端は前記係止部と一体に設けられており、前記可動隔壁の移動方向を軸方向とし、前記容器の壁面を軸方向に移動可能に貫通している駆動軸と、
前記駆動軸の周囲に配置され、前記可動隔壁を前記不燃性流体が貯留された側へ付勢する付勢材と、
一端で前記容器と当接し、他端で前記係止部を固定し、前記付勢材の付勢力に抗して前記可動隔壁、前記駆動軸及び前記係止部が移動するのを抑制している固定部材と、
を備え、
前記可動隔壁には貫通孔が設けられ、
前記貫通孔には、可燃性流体の前記貫通孔への流入を防止する弁が設けられ、
前記固定部材は外部温度が可燃性流体の引火点よりも低い所定温度以上に上昇した場合に前記可動隔壁の固定を解除することを特徴とする請求項１に記載の燃料貯留部。
【請求項１０】
前記付勢材は弾性体であり、
前記固定部材の融点またはガラス転移点は可燃性流体の引火点よりも低いことを特徴とする請求項９に記載の燃料貯留部。
【請求項１１】
前記付勢材は弾性体であり、
前記固定部材は変態点が可燃性流体の引火点よりも低い形状記憶合金からなることを特徴とする請求項９に記載の燃料貯留部。
【請求項１２】
前記付勢材は弾性体であり、
前記固定部材はバイメタルからなり、前記所定温度以上の温度において前記可動隔壁の固定を解除することを特徴とする請求項９に記載の燃料貯留部。
【請求項１３】
請求項１〜１２のいずれか一項に記載の燃料貯留部と、
前記燃料貯留部より供給される可燃性流体を用いて発電する燃料電池セルと、
を備えることを特徴とする燃料電池装置。
【請求項１４】
請求項１３に記載の燃料電池装置と、前記燃料電池装置から供給される電力により駆動される電子機器本体とを備えることを特徴とする電子機器。
【請求項１５】
請求項１３に記載の燃料電池装置と、前記燃料電池装置から供給される電力により点灯される発光素子とを備えることを特徴とする照明装置。
【請求項１６】
外部電源からの電力供給の有無を検出する検出手段と、
前記検出手段により外部電源からの電力供給がされていないことを検出した場合に前記燃料電池装置の駆動を開始させる制御部とをさらに備えることを特徴とする請求項１５に記載の照明装置。
【発明の詳細な説明】
【技術分野】
【０００１】
本発明は、燃料貯留部、燃料電池装置、及びこれを用いた電子機器、照明装置、特に非常灯として用いられる照明装置に関する。
【背景技術】
【０００２】
停電等の非常時において照明に用いられる非常灯は、充電池を備え、停電を検出して発光素子を点灯させるものである。このような非常灯は、充電池の容量の関係で３０分から１時間程度の発光を行うものが主流である。
また、電源として燃料電池を用いた非常灯や照明装置が提案されている（例えば、特許文献１または２参照）。このように電源として燃料電池を用いた非常灯は、充電池を用いた非常灯と比較して、より長時間の点灯が可能となると考えられる。
【特許文献１】特開２００４−８７１７６号公報
【特許文献２】特開２００４−３１１０４１号公報
【発明の開示】
【発明が解決しようとする課題】
【０００３】
しかし、燃料電池に用いる燃料にはアルコール等の引火点や発火点が低い可燃性液体が用いられるため、家屋の倒壊時等の火災により温度が上昇し、引火、発火するおそれがあり、これを防ぐ手段を講じる必要がある。
【０００４】
本発明の課題は、外部環境の温度上昇時に可燃性流体の引火点や発火点を低下させることができる燃料貯留部、燃料電池装置、電子機器及び照明装置を提供することである。
【課題を解決するための手段】
【０００５】
以上の課題を解決するため、請求項１に記載の発明は、可燃性流体と不燃性流体とが貯留された容器と、前記容器に設けられ、前記容器の周囲が前記可燃性流体の引火点よりも低い所定温度以上に上昇した場合に、前記容器内で前記可燃性流体と前記不燃性流体とを混合させる混合手段とを備えることを特徴とする燃料貯留部である。
【０００６】
請求項２に記載の発明は、請求項１に記載の燃料貯留部であって、前記混合手段は、前記容器の内部を可燃性流体の貯留部と不燃性流体の貯留部とに二分する可動隔壁と、外部温度が可燃性流体の引火点よりも低い所定温度以上に上昇した場合に前記可動隔壁を前記不燃性流体が貯留された側へ付勢する付勢材とを備え、前記可動隔壁には貫通孔が設けられ、前記貫通孔には、可燃性流体の前記貫通孔への流入を防止する弁が設けられていることを特徴とする。
【０００７】
請求項３に記載の発明は、請求項２に記載の燃料貯留部であって、前記付勢材は変態点が可燃性流体の引火点よりも低い形状記憶合金からなることを特徴とする。
【０００８】
請求項４に記載の発明は、請求項２に記載の燃料貯留部であって、前記付勢材はバイメタルからなることを特徴とする。
【０００９】
請求項５に記載の発明は、請求項２に記載の燃料貯留部であって、前記付勢材は外部温度が可燃性流体の引火点よりも低い所定温度以上に上昇したときに前記可動隔壁を付勢する電磁アクチュエータであることを特徴とする。
【００１０】
請求項６に記載の発明は、請求項５に記載の燃料貯留部であって、外部温度を検出する温度センサをさらに備え、前記電磁アクチュエータは前記所定温度以上において駆動されることを特徴とする。
【００１１】
請求項７に記載の発明は、請求項５に記載の燃料貯留部であって、変態点が可燃性流体の引火点よりも低い形状記憶合金からなる接点端子を有し、変態点以上の温度において前記電磁アクチュエータに通電するスイッチを備えることを特徴とする。
【００１２】
請求項８に記載の発明は、請求項５に記載の燃料貯留部であって、バイメタルからなる接点端子を有し、前記所定温度以上の温度において前記電磁アクチュエータに通電するスイッチを備えることを特徴とする。
【００１３】
請求項９に記載の発明は、請求項１に記載の燃料貯留部であって、前記混合手段は、前記容器の内部を可燃性流体の貯留部と不燃性流体の貯留部とに二分する可動隔壁と、係止部と、一端は前記可動隔壁と、他端は前記係止部と一体に設けられており、前記可動隔壁の移動方向を軸方向とし、前記容器の壁面を軸方向に移動可能に貫通している駆動軸と、前記駆動軸の周囲に配置され、前記可動隔壁を前記不燃性流体が貯留された側へ付勢する付勢材と、一端で前記容器と当接し、他端で前記係止部を固定し、前記付勢材の付勢力に抗して前記可動隔壁、前記駆動軸及び前記係止部が移動するのを抑制している固定部材と、を備え、前記可動隔壁には貫通孔が設けられ、前記貫通孔には、可燃性流体の前記貫通孔への流入を防止する弁が設けられ、前記固定部材は外部温度が可燃性流体の引火点よりも低い所定温度以上に上昇した場合に前記可動隔壁の固定を解除することを特徴とする。
【００１４】
請求項１０に記載の発明は、請求項９に記載の燃料貯留部であって、前記付勢材は弾性体であり、前記固定部材の融点またはガラス転移点は可燃性流体の引火点よりも低いことを特徴とする。
【００１５】
請求項１１に記載の発明は、請求項９に記載の燃料貯留部であって、前記付勢材は弾性体であり、前記固定部材は変態点が可燃性流体の引火点よりも低い形状記憶合金からなることを特徴とする。
【００１６】
請求項１２に記載の発明は、請求項９に記載の燃料貯留部であって、前記付勢材は弾性体であり、前記固定部材はバイメタルからなり、前記所定温度以上の温度において前記可動隔壁の固定を解除することを特徴とする。
【００１７】
請求項１３に記載の発明は、請求項１〜１２のいずれか一項に記載の燃料貯留部と、前記燃料貯留部より供給される可燃性流体を用いて発電する燃料電池セルと、を備えることを特徴とする燃料電池装置である。
【００１８】
請求項１４に記載の発明は、請求項１３に記載の燃料電池装置と、前記燃料電池装置から供給される電力により駆動される電子機器本体とを備えることを特徴とする電子機器である。
【００１９】
請求項１５に記載の発明は、請求項１３に記載の燃料電池装置と、前記燃料電池装置から供給される電力により点灯される発光素子とを備えることを特徴とする照明装置である。
【００２０】
請求項１６に記載の発明は、請求項１５に記載の照明装置であって、外部電源からの電力供給の有無を検出する検出手段と、前記検出手段により外部電源からの電力供給がされていないことを検出した場合に前記燃料電池装置の駆動を開始させる制御部とをさらに備えることを特徴とする。
【発明の効果】
【００２１】
本発明によれば、外部環境の温度上昇時に可燃性流体の引火点や発火点を低下させることができる。
【発明を実施するための最良の形態】
【００２２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２３】
〔第１実施形態〕
図１は、本発明の第１実施形態に係る電子機器１０００を示すブロック図である。この電子機器１０００はノート型パーソナルコンピュータ、ＰＤＡ、電子手帳、デジタルカメラ、携帯電話機、腕時計、ゲーム機器等といった携帯型の電子機器である。
【００２４】
電子機器１０００は、燃料電池装置１と、燃料電池装置１により生成された電気エネルギーを適切な電圧に変換するＤＣ／ＤＣコンバータ１００２と、ＤＣ／ＤＣコンバータ１００２に接続される二次電池１００３と、ＤＣ／ＤＣコンバータ１００２から供給される電気エネルギーにより駆動される電子機器本体１００１と、電子機器１０００全体を制御する制御部１００４とを備える。
【００２５】
燃料電池装置１は後述するように、電気エネルギーを生成しＤＣ／ＤＣコンバータ１００２に出力する。ＤＣ／ＤＣコンバータ１００２は燃料電池装置１により生成された電気エネルギーを適切な電圧に変換したのちに電子機器本体１００１、制御部１００４に供給する機能の他に、燃料電池装置１により生成された電気エネルギーを二次電池１００３に充電する機能を有する。これにより、燃料電池装置１が動作していない時に、二次電池１００３に蓄電された電気エネルギーを電子機器本体１００１に供給することができる。
【００２６】
次に、燃料電池装置１について詳細に説明する。この燃料電池装置１は、ＤＣ／ＤＣコンバータ１００２に出力する電気エネルギーを生成するものであり、燃料貯留部２、ポンプ３、気化器４、改質器５、一酸化炭素除去器６、燃料電池セル７、触媒燃焼器８等を備える。
【００２７】
燃料貯留部２には、液体の原燃料（例えば、メタノール、エタノール、ジメチルエーテル）と水との混合液が貯留されている。なお、液体の原燃料と水とを別々の容器に貯留してもよい。燃料貯留部２の具体的な構造については、後述する。
燃料貯留部２内の混合液は、ポンプ３により気化器４に送液される。
【００２８】
気化器４は燃料貯留部２から送られた混合液を改質器５や図示しないヒータ等からの伝熱等により約１１０〜１６０℃程度に加熱し、気化させる。気化器４で気化した混合気は改質器５へ送られる。
【００２９】
改質器５は内部に流路が形成され、流路の壁面に触媒が担持されている。改質器５は気化器４から送られる混合気を約３００〜４００℃程度に加熱し、流路内の触媒により改質反応を起こさせる。すなわち、原燃料と水の触媒反応によって、燃料としての水素、二酸化炭素、及び、副生成物である微量な一酸化炭素等の混合気体（改質ガス）が生成される。
【００３０】
ここで、原燃料がメタノールの場合、改質器５では主に次式（１）に示すような主反応である水蒸気改質反応が起こる。
ＣＨ3ＯＨ＋Ｈ2Ｏ→３Ｈ2＋ＣＯ2  …（１）
なお、化学反応式（１）についで逐次的に起こる次式（２）のような副反応によって、副生成物として一酸化炭素が微量に（１％程度）生成される。
Ｈ2＋ＣＯ2→Ｈ2Ｏ＋ＣＯ  …（２）
（１）式及び（２）式の反応による生成物（改質ガス）は一酸化炭素除去器６に送出される。
【００３１】
一酸化炭素除去器６の内部には流路が形成され、その流路の壁面に触媒が担持されている。一酸化炭素除去器６には改質器５で生成された改質ガス及び、外部の空気が送られる。改質ガスが空気と混合して一酸化炭素除去器６の流路を流れ、約１１０〜１６０℃程度に加熱される。そして、改質ガスのうち一酸化炭素が触媒により次式（３）のような主反応により優先的に酸化される。これにより主生成物として二酸化炭素が生成され、改質ガス中の一酸化炭素を燃料電池セル７に供給可能な１０ｐｐｍ程度まで低濃度化することができる。
２ＣＯ＋Ｏ2→２ＣＯ2  …（３）
一酸化炭素除去器６を通過した改質ガスは燃料電池セル７に送出される。
【００３２】
燃料電池セル７は固体高分子型燃料電池であり、固体高分子電解質膜７１と、固体高分子電解質膜７１の両面に形成された燃料極７２（アノード）及び酸素極７３（カソード）と、燃料極７２に改質ガスを供給する燃料供給流路７４ａが設けられた燃料極セパレータ７４と、酸素極７３に酸素を供給する酸素供給流路７５ａが設けられた酸素極セパレータ７５と、が積層されている。
【００３３】
固体高分子電解質膜７１は水素イオンを透過するが、酸素分子や水素分子、電子を通さない性質を有する。
燃料極７２には燃料供給流路７４ａを介して凝集器６から送出された改質ガスが送られる。燃料極７２では改質ガス中の水素による次式（４）のような反応が起こる。
Ｈ2→２H+＋２ｅ-  …（４）
生成した水素イオンは固体高分子電解質膜７１を透過して酸素極７３に到達する。生成した電子はアノード出力電極７６に供給される。
【００３４】
酸素極７３には、空気が酸素供給流路８５ａを介して送られる。酸素極７３では固体高分子電解質膜７１を透過した水素イオンと、空気中の酸素とカソード出力電極７７より供給される電子とにより、次式（５）に示すように水が生成される。
２H+＋１／２Ｏ2＋２ｅ-→Ｈ2Ｏ  …（５）
アノード出力電極７６及びカソード出力電極７７は外部回路であるＤＣ／ＤＣコンバータ１００２と接続されており、アノード出力電極７６に到達した電子はＤＣ／ＤＣコンバータ１００２を通ってカソード出力電極７７に供給される。
【００３５】
触媒燃焼器８には燃料供給流路７４ａを通過した改質ガス（オフガス）及び外部の空気が送られ、改質ガス中に残留する水素が空気により燃焼される。これにより改質器５における改質反応に用いられる反応熱が供給される。なお、触媒燃焼器８に供給する空気の量を調整することで、供給される反応熱の量が調整される。
【００３６】
次に、本発明に係る燃料貯留部２の具体的な構造について説明する。
図２は本発明に係る燃料貯留部２の構造を示す模式図である。図２に示すように、燃料貯留部２は、燃料容器２０（容器）と、混合手段３０と、を備える。混合手段３０は、可動隔壁２１と、弁２２と、駆動軸２３と、係止部２４と、付勢材２５と、固定部材２６とからなる。
【００３７】
燃料容器２０は、内部を可動隔壁２１に仕切られており、一方が可燃性流体槽２０Ａ、他方が不燃性流体槽２０Ｂとなっている。可燃性流体槽２０Ａには可燃性流体が貯留され、不燃性流体槽２０Ｂには不燃性流体が貯留される。不燃性流体槽２０Ｂの容積は可燃性流体槽２０Ａの約８倍であり、例えば可燃性流体槽２０Ａの容積を５００ｍＬとすると、不燃性流体槽２０Ｂの容積は４０００ｍＬである。
【００３８】
可燃性流体及び不燃性流体の組み合わせは、可燃性流体と不燃性流体とが互いに交じり合うように、極性分子同士、または無極性分子同士である。
なお、燃料電池装置１に用いられる可燃性流体としては、例えば水蒸気改質反応に用いられるアルコール等が挙げられる。また、燃料電池装置１に用いられる不燃性流体としては、例えば水蒸気改質反応に用いられる水等が挙げられる。
可燃性流体槽２０Ａには、外部へ可燃性流体が送出される送出口２０Ｃが設けられている。
【００３９】
可動隔壁２１は、燃料容器２０内に厚さ方向にスライド可能に設けられている。可動隔壁２１には、厚さ方向に貫通する貫通孔２１ａが設けられており、貫通孔２１ａには弁２２が取り付けられている。弁２２は通常は塞がれているが、可動隔壁２１が不燃性流体槽２０Ｂを小さくする方向に移動したときに開き、不燃性流体が貫通孔２１ａを通って可燃性流体槽２０Ａへ流入するのを許容する。
【００４０】
弁２２は、例えば可燃性流体槽２０Ａ側から弁体２２ａが貫通孔２１ａを閉塞するように弁体２２ａを取り付けられて形成されている。弁体２２ａは例えば樹脂製または金属製の材料からなり、可動隔壁２１が不燃性流体槽２０Ｂを小さくする方向に移動したときに不燃性流体の圧力により脱落し、不燃性流体が貫通孔２１ａから可燃性流体槽２０Ａに流入する。
【００４１】
なお、弁体２２ａを弾性材により形成し、弁体２２ａの一端を可動隔壁２１に固定し、その弾性により貫通孔２１ａを閉塞する構造としてもよい。この場合、図３に示すように、可動隔壁２１が不燃性流体槽２０Ｂを小さくする方向に移動したときに不燃性流体の圧力により弁体２２ａが撓み、不燃性流体が貫通孔２１ａから可燃性流体槽２０Ａに流入する。
【００４２】
駆動軸２３は、可動隔壁２１の移動方向を軸方向とし、燃料容器２０の壁面を軸方向に移動可能に貫通している。駆動軸２３の一端は可動隔壁２１と、他端は係止部２４と一体に設けられている。係止部２４は固定部材２６に係止されている。
駆動軸２３の周囲には付勢材２５が配置されている。付勢材２５は不燃性流体槽２０Ｂが小さくなる方向に可動隔壁２１が移動するように係止部２４を付勢する弾性材であり、例えば一端を係止部２４に、他端を燃料容器２０に固定されたコイルスプリングである。
【００４３】
固定部材２６は、一端で燃料容器２０と当接し、他端で係止部２４を固定し、付勢材２５の付勢力に抗して可動隔壁２１、駆動軸２３及び係止部２４が移動するのを抑制している。
固定部材２６は例えば半田や熱可塑性樹脂等、融点またはガラス転移点が可燃性流体の引火点よりも低い物質からなる。
【００４４】
次に、外部の温度が上昇した場合の燃料貯留部２の動作について説明する。
まず、燃料貯留部２の外部温度が固定部材２６の融点またはガラス転移点以上に上昇した場合には、固定部材２６は融解し、または付勢材２５の付勢力に抗しきれなくなり変形し、係止部２４の固定が解除される。
【００４５】
係止部２４の固定が解除されると、付勢材２５の付勢力により、不燃性流体槽２０Ｂが小さくなるように可動隔壁２１、係止部２４及び駆動軸２３が移動する。すると、付勢材２５の付勢力により不燃性流体槽２０Ｂ内に圧力がかかるため、不燃性流体が貫通孔２１ａを塞ぐ弁体２２ａを押しのけて可燃性流体槽２０Ａに流入する。
【００４６】
これにより可燃性流体と不燃性流体とが混合するため、可燃性流体槽２０Ａ内の混合溶液の引火点及び発火点を上げることができる。なお、不燃性流体槽２０Ｂの容積が可燃性流体槽２０Ａの約８倍の場合には、可燃性流体が１０％程度に希釈される。したがって、引火や発火の可能性を大幅に低減することができる。
【００４７】
なお、固定部材２６をバイメタルで形成し、燃料貯留部２の外部の温度が引火点よりも低い所定の温度まで上昇したときに係止部２４の固定が解除されるようにしてもよい。
同様に、変態点が可燃性流体の引火点よりも低い形状記憶合金で固定部材２６を形成し、燃料貯留部２の外部の温度が変態点を超えたときに係止部２４の固定が解除されるようにしてもよい。
【００４８】
あるいは、付勢材２５をバイメタルで形成し、燃料貯留部２の外部の温度が引火点よりも低い所定の温度まで上昇したときに不燃性流体槽２０Ｂが小さくなる方向に可動隔壁２１が移動するように付勢してもよい。
同様に、変態点が可燃性流体の引火点よりも低い形状記憶合金で付勢材２５を形成し、燃料貯留部２の外部の温度が変態点を超えたときに不燃性流体槽２０Ｂが小さくなる方向に可動隔壁２１が移動するように付勢してもよい。この場合、固定部材２６が不要となる。
【００４９】
＜第１変形例＞
図４は本発明の第１の変形例に係る燃料貯留部１０２を示す模式図である。本変形例に係る燃料貯留部１０２では、混合手段１３０の固定部材として係止部１２４が係止される電磁ロック１２６が設けられている。
また、燃料貯留部２０２の外側には、温度を電気的に検出する図示しない温度センサが設けられている。温度センサは燃料貯留部１０２の外部の温度を制御部１００４に出力する。
なお、その他の構成要素については、第１の実施形態と同様であるので下２桁に同符号を付して説明を割愛する。
【００５０】
本変形例においては、温度センサにより燃料貯留部１０２の外部の温度が引火点よりも低い所定の温度まで上昇したことを検出して、制御部１００４が電磁ロック１２６を駆動し、係止部１２４の固定を解除する。すると、付勢材１２５の付勢力により不燃性流体槽１２０Ｂが小さくなるように可動隔壁１２１、係止部１２４及び駆動軸１２３が移動する。これにより可燃性流体と不燃性流体とが混合され、引火や発火の可能性を大幅に低減することができる。
【００５１】
＜第２変形例＞
図５は本発明の第２の変形例に係る燃料貯留部２０２を示す模式図である。本変形例に係る燃料貯留部２０２では、混合手段２３０の付勢材として電力により駆動される電磁アクチュエータ２２５が用いられており、電磁アクチュエータ２２５により駆動軸２２３を固定しまたは軸方向に移動させることができる。なお、燃料貯留部２０２では係止部及び固定部材が不要である。その他の構成要素については、第１の実施形態と同様であるので下２桁に同符号を付して説明を割愛する。
また、燃料貯留部２０２の外側には、第１の変形例と同様に、温度を電気的に検出する図示しない温度センサが設けられている。温度センサは燃料貯留部２０２の外部の温度を制御部に出力する。
【００５２】
本変形例においては、温度センサにより燃料貯留部２０２の外部の温度が引火点よりも低い所定の温度まで上昇したことを検出して、制御部が電磁アクチュエータ２２５を駆動し、不燃性流体槽２２０Ｂが小さくなる方向に可動隔壁２２１が移動するように駆動軸２２３を軸方向に移動させる。これにより可燃性流体と不燃性流体とが混合され、引火や発火の可能性を大幅に低減することができる。
【００５３】
なお、上記第１変形例及び第２変形例において、温度センサを設ける代わりに、バイメタルからなる接点端子を有するスイッチを設け、外部の温度が所定温度まで上昇したときに電磁ロックまたは電磁アクチュエータに通電するようにしてもよい。あるいは、変態点が可燃性流体の引火点よりも低い形状記憶合金バイメタルからなる接点端子を有するスイッチを設け、外部の温度が変態点まで上昇したときに電磁ロックまたは電磁アクチュエータに通電するようにしてもよい。
【００５４】
〔第２実施形態〕
図６は本発明の第２実施形態に係る照明装置１３００である。この照明装置１３００は、例えば停電等、外部電源からの電力供給がされていないときに発光素子１３０１を点灯させる非常灯である。
【００５５】
照明装置１３００は、発光素子１３０１と、ＤＣ／ＤＣコンバータ１３０２と、二次電池１３０３と、制御部１３０４と、検出部１３０５と、燃料電池装置３０１とを備える。
外部電源２０００は、例えば家庭用の交流電源である。
検出部１３０５は、外部電源２０００からの電力供給の有無を検出し、制御部１３０４へ出力する。
【００５６】
制御部１３０４は照明装置１３００全体を制御し、検出手段１３０５により外部電源２０００からの電力供給がされていないことを検出した場合に燃料電池装置３０１の駆動を開始させる。
【００５７】
燃料電池装置３０１としては、第１実施形態と同様の燃料電池装置１を用いることができ、同様の燃料貯留部２，１０２，２０２を用いることができる。ＤＣ／ＤＣコンバータ１３０２、二次電池１３０３は第１実施形態のＤＣ／ＤＣコンバータ１００２、二次電池１００３と同様であるので説明を割愛する。
発光素子１３０１は、例えば白熱電球、ＬＥＤ等であり、ＤＣ／ＤＣコンバータ１３０２から供給される電力により点灯される。
【００５８】
本実施形態においても、第１実施形態と同様に、燃料電池装置３０１の燃料貯留部の外部温度が上昇したときに可燃性流体と不燃性流体とを混合させることで、引火や発火の可能性を大幅に低減することができる。
【００５９】
以上の実施形態においては、燃料を改質して用いる改質型の燃料電池について説明したが、本発明はこれに限らず、燃料を直接供給するタイプの燃料電池に適用してもよい。
【図面の簡単な説明】
【００６０】
【図１】本発明の第１実施形態に係る電子機器１０００を示すブロック図である。
【図２】本発明に係る燃料貯留部２の構造を示す模式図である。
【図３】本発明に係る燃料貯留部２の構造を示す模式図である。
【図４】本発明の第１の変形例に係る燃料貯留部１０２を示す模式図である。
【図５】本発明の第２の変形例に係る燃料貯留部２０２を示す模式図である。
【図６】本発明の第２実施形態に係る照明装置１３００である。
【符号の説明】
【００６１】
２，１０２，２０２  燃料貯留部
７  燃料電池セル
２０，１２０，２２０  燃料容器（容器）
２１，１２１，２２１  可動隔壁
２１ａ，１２１ａ，２２１ａ  貫通孔
２２，１２２，２２２  弁
２５，１２５  付勢材
２６，１２６  固定部材
３０，１３０，２３０  混合手段
２２５  電磁アクチュエータ（アクチュエータ）
１，１０１，２０１，３０１  燃料電池装置
１０００  電子機器
１００１  電子機器本体
１３００  照明装置
１３０１  発光素子
１３０４  制御部
１３０５  検出手段
【図１】
0005205872.tif 000002
【図２】
0005205872.tif 000003
【図３】
0005205872.tif 000004
【図４】
0005205872.tif 000005
【図５】
0005205872.tif 000006
【図６】
0005205872.tif 000007